(57)【要約】      （修正有）【課題】誰でも、容易に、実際に使用可能な品質の画像を得られること。【解決手段】ハイライト又はシャドウの階調が潰れている場合に警告を発するレンジチェック機能、ハイライトの明るさを強制的に最大値にし、シャドウの明るさを強制的に最小値にするなどのレンジ補正機能、一番明るい色を強制的に白に変換し、一番暗い色を強制的に黒に変換するなどの白黒補正機能、予め用意されているトーンカーブで、画像の階調補正を行う階調補正機能、ユーザに、変換したい色と変換後の色とを数値で指定させ、変換したい色として数値が指定された色だけを、変換後の色として数値が指定された色に変換するなどの色補正機能、画像から、予め背景色と決められている色を強制的に削除するなどの背景切抜き機能、予め決められているルールに従って、画像に、この画像に写っている商品の識別に必要な情報を付加する識別情報付加機能の何れかを１つ以上有する画像処理システム。【選択図】図１
2006157356.tif 000002
【特許請求の範囲】
【請求項１】
以下の（１）〜（７）の機能の何れかを１つ以上有する画像処理システム。
（１）画像をチェックして、ハイライトの階調が潰れている場合には、ユーザに対して、ハイライトの階調が潰れているという警告を発し、また、シャドウの階調が潰れている場合には、ユーザに対して、シャドウの階調が潰れているという警告を発するレンジチェック機能。
（２）ハイライトの明るさを強制的に最大値にし、シャドウの明るさを強制的に最小値にするか、又は、ユーザに、ハイライトにしたい色と、シャドウにしたい色とを指定させ、これらの指定に基づいて、画像の明るさを変えて、画像の階調の幅を補正するレンジ補正機能。
（３）一番明るい色を強制的に白に変換し、一番暗い色を強制的に黒に変換するか、又は、ユーザに、白にしたい色と、黒にしたい色とを指定させ、白にしたいとして指定された色を白に変換し、黒にしたいとして指定された色を黒に変換する白黒補正機能。
（４）予め用意されているトーンカーブで、画像の階調補正を行う階調補正機能。
（５）ユーザに、変換したい色と変換後の色とを数値で指定させ、変換したい色として数値が指定された色だけを、変換後の色として数値が指定された色に変換するか、又は、ユーザに、予め用意されている複数パターンの画像の変換方法の中から、変換方法を選択させ、選択された変換方法に従って、画像を変換する色補正機能。
（６）画像から、予め背景色と決められている色を強制的に削除するか、又は、ユーザに背景色を指定させ、画像から、背景色として指定された色と、この色に近似しかつ隣接している色とを削除するか、或は、ユーザに背景色を指定させ、画像から、背景色として指定された色と、この色に近似している色とを削除する背景切抜き機能。
（７）予め決められているルールに従って、画像に、この画像に写っている商品の識別に必要な情報を付加する識別情報付加機能。
【請求項２】
コンピュータが、以下の（１）〜（７）の工程の何れかを１つ以上実行する画像処理方法。
（１）画像をチェックして、ハイライトの階調が潰れている場合には、ユーザに対して、ハイライトの階調が潰れているという警告を発し、また、シャドウの階調が潰れている場合には、ユーザに対して、シャドウの階調が潰れているという警告を発するレンジチェック工程。
（２）ハイライトの明るさを強制的に最大値にし、シャドウの明るさを強制的に最小値にするか、又は、ユーザに、ハイライトにしたい色と、シャドウにしたい色とを指定させ、これらの指定に基づいて、画像の明るさを変えて、画像の階調の幅を補正するレンジ補正工程。
（３）一番明るい色を強制的に白に変換し、一番暗い色を強制的に黒に変換するか、又は、ユーザに、白にしたい色と、黒にしたい色とを指定させ、白にしたいとして指定された色を白に変換し、黒にしたいとして指定された色を黒に変換する白黒補正工程。
（４）予め用意されているトーンカーブで、画像の階調補正を行う階調補正工程。
（５）ユーザに、変換したい色と変換後の色とを数値で指定させ、変換したい色として数値が指定された色だけを、変換後の色として数値が指定された色に変換するか、又は、ユーザに、予め用意されている複数パターンの画像の変換方法の中から、変換方法を選択させ、選択された変換方法に従って、画像を変換する色補正工程。
（６）画像から、予め背景色と決められている色を強制的に削除するか、又は、ユーザに背景色を指定させ、画像から、背景色として指定された色と、この色に近似しかつ隣接している色とを削除するか、或は、ユーザに背景色を指定させ、画像から、背景色として指定された色と、この色に近似している色とを削除する背景切抜き工程。
（７）予め決められているルールに従って、画像に、この画像に写っている商品の識別に必要な情報を付加する識別情報付加工程。
【請求項３】
以下の（１）〜（７）の工程の何れかを１つ以上コンピュータに実行させる画像処理プログラム。
（１）画像をチェックして、ハイライトの階調が潰れている場合には、ユーザに対して、ハイライトの階調が潰れているという警告を発し、また、シャドウの階調が潰れている場合には、ユーザに対して、シャドウの階調が潰れているという警告を発するレンジチェック工程。
（２）ハイライトの明るさを強制的に最大値にし、シャドウの明るさを強制的に最小値にするか、又は、ユーザに、ハイライトにしたい色と、シャドウにしたい色とを指定させ、これらの指定に基づいて、画像の明るさを変えて、画像の階調の幅を補正するレンジ補正工程。
（３）一番明るい色を強制的に白に変換し、一番暗い色を強制的に黒に変換するか、又は、ユーザに、白にしたい色と、黒にしたい色とを指定させ、白にしたいとして指定された色を白に変換し、黒にしたいとして指定された色を黒に変換する白黒補正工程。
（４）予め用意されているトーンカーブで、画像の階調補正を行う階調補正工程。
（５）ユーザに、変換したい色と変換後の色とを数値で指定させ、変換したい色として数値が指定された色だけを、変換後の色として数値が指定された色に変換するか、又は、ユーザに、予め用意されている複数パターンの画像の変換方法の中から、変換方法を選択させ、選択された変換方法に従って、画像を変換する色補正工程。
（６）画像から、予め背景色と決められている色を強制的に削除するか、又は、ユーザに背景色を指定させ、画像から、背景色として指定された色と、この色に近似しかつ隣接している色とを削除するか、或は、ユーザに背景色を指定させ、画像から、背景色として指定された色と、この色に近似している色とを削除する背景切抜き工程。
（７）予め決められているルールに従って、画像に、この画像に写っている商品の識別に必要な情報を付加する識別情報付加工程。
【請求項４】
請求項３に記載の画像処理プログラムを記録した記録媒体。
【発明の詳細な説明】
【技術分野】
【０００１】
本発明は、撮影された画像を、実際に使用できる品質のものにするために行う画像処理の技術に関する。
【背景技術】
【０００２】
一般に、デジタルカメラ等による商品画像の撮影は、撮影を行う環境によって、被写体の写り方が異なり、使用する機材や撮影者の技量によって撮影された商品画像の仕上りに差が生ずる。このため、カタログ等の印刷物やインターネットへの掲載を目的として商品画像を撮影したとき、通常、撮影した商品画像は、撮影したそのままの状態では使用に耐え得る品質ではなく、デジタルカメラやライトの設定を見直して撮り直したり、製版工程で画像処理を行う必要がある。画像処理に係る作業としては、例えば、次の（１）〜（３）が挙げられる。（１）明るさ、コントラストの調整。（２）鮮やかさ色味の調整などの色の修正。（３）撮影時の背景など、余分な部分の除去。
【０００３】
従来、撮り直すか否かは、撮影者が、撮影した商品画像を確認して判断している。また従来、画像処理に係る作業は、製版作業者が、コンピュータ上で画像処理ソフトを使用して、撮影された商品画像を目視で確認しながら手作業で行っている。このため、これらに要する時間や出来上がりの品質は、撮影者及び製版作業者のスキルに左右される。また、一度の業務において取り扱う画像点数も多く、作業負荷の軽減が求められている。
【発明の開示】
【発明が解決しようとする課題】
【０００４】
本発明は斯かる背景技術に鑑みてなされたもので、誰でも、容易に、実際に使用可能な品質の画像を得られるようにすることを課題とする。
【課題を解決するための手段】
【０００５】
本発明において上記課題を達成するために、まず請求項１の発明では、以下の（１）〜（７）の機能の何れかを１つ以上有する画像処理システムとしたものである。
【０００６】
（１）画像をチェックして、ハイライトの階調が潰れている場合には、ユーザに対して、ハイライトの階調が潰れているという警告を発し、また、シャドウの階調が潰れている場合には、ユーザに対して、シャドウの階調が潰れているという警告を発するレンジチェック機能。
【０００７】
（２）ハイライトの明るさを強制的に最大値にし、シャドウの明るさを強制的に最小値にするか、又は、ユーザに、ハイライトにしたい色と、シャドウにしたい色とを指定させ、これらの指定に基づいて、画像の明るさを変えて、画像の階調の幅を補正するレンジ補正機能。
【０００８】
（３）一番明るい色を強制的に白に変換し、一番暗い色を強制的に黒に変換するか、又は、ユーザに、白にしたい色と、黒にしたい色とを指定させ、白にしたいとして指定された色を白に変換し、黒にしたいとして指定された色を黒に変換する白黒補正機能。
【０００９】
（４）予め用意されているトーンカーブで、画像の階調補正を行う階調補正機能。
【００１０】
（５）ユーザに、変換したい色と変換後の色とを数値で指定させ、変換したい色として
数値が指定された色だけを、変換後の色として数値が指定された色に変換するか、又は、ユーザに、予め用意されている複数パターンの画像の変換方法の中から、変換方法を選択させ、選択された変換方法に従って、画像を変換する色補正機能。
【００１１】
（６）画像から、予め背景色と決められている色を強制的に削除するか、又は、ユーザに背景色を指定させ、画像から、背景色として指定された色と、この色に近似しかつ隣接している色とを削除するか、或は、ユーザに背景色を指定させ、画像から、背景色として指定された色と、この色に近似している色とを削除する背景切抜き機能。
【００１２】
（７）予め決められているルールに従って、画像に、この画像に写っている商品の識別に必要な情報を付加する識別情報付加機能。
【００１３】
また請求項２の発明では、コンピュータが、以下の（１）〜（７）の工程の何れかを１つ以上実行する画像処理方法としたものである。
【００１４】
（１）画像をチェックして、ハイライトの階調が潰れている場合には、ユーザに対して、ハイライトの階調が潰れているという警告を発し、また、シャドウの階調が潰れている場合には、ユーザに対して、シャドウの階調が潰れているという警告を発するレンジチェック工程。
【００１５】
（２）ハイライトの明るさを強制的に最大値にし、シャドウの明るさを強制的に最小値にするか、又は、ユーザに、ハイライトにしたい色と、シャドウにしたい色とを指定させ、これらの指定に基づいて、画像の明るさを変えて、画像の階調の幅を補正するレンジ補正工程。
【００１６】
（３）一番明るい色を強制的に白に変換し、一番暗い色を強制的に黒に変換するか、又は、ユーザに、白にしたい色と、黒にしたい色とを指定させ、白にしたいとして指定された色を白に変換し、黒にしたいとして指定された色を黒に変換する白黒補正工程。
【００１７】
（４）予め用意されているトーンカーブで、画像の階調補正を行う階調補正工程。
【００１８】
（５）ユーザに、変換したい色と変換後の色とを数値で指定させ、変換したい色として数値が指定された色だけを、変換後の色として数値が指定された色に変換するか、又は、ユーザに、予め用意されている複数パターンの画像の変換方法の中から、変換方法を選択させ、選択された変換方法に従って、画像を変換する色補正工程。
【００１９】
（６）画像から、予め背景色と決められている色を強制的に削除するか、又は、ユーザに背景色を指定させ、画像から、背景色として指定された色と、この色に近似しかつ隣接している色とを削除するか、或は、ユーザに背景色を指定させ、画像から、背景色として指定された色と、この色に近似している色とを削除する背景切抜き工程。
【００２０】
（７）予め決められているルールに従って、画像に、この画像に写っている商品の識別に必要な情報を付加する識別情報付加工程。
【００２１】
また請求項３の発明では、以下の（１）〜（７）の工程の何れかを１つ以上コンピュータに実行させる画像処理プログラムとしたものである。
【００２２】
（１）画像をチェックして、ハイライトの階調が潰れている場合には、ユーザに対して、ハイライトの階調が潰れているという警告を発し、また、シャドウの階調が潰れている場合には、ユーザに対して、シャドウの階調が潰れているという警告を発するレンジチェ
ック工程。
【００２３】
（２）ハイライトの明るさを強制的に最大値にし、シャドウの明るさを強制的に最小値にするか、又は、ユーザに、ハイライトにしたい色と、シャドウにしたい色とを指定させ、これらの指定に基づいて、画像の明るさを変えて、画像の階調の幅を補正するレンジ補正工程。
【００２４】
（３）一番明るい色を強制的に白に変換し、一番暗い色を強制的に黒に変換するか、又は、ユーザに、白にしたい色と、黒にしたい色とを指定させ、白にしたいとして指定された色を白に変換し、黒にしたいとして指定された色を黒に変換する白黒補正工程。
【００２５】
（４）予め用意されているトーンカーブで、画像の階調補正を行う階調補正工程。
【００２６】
（５）ユーザに、変換したい色と変換後の色とを数値で指定させ、変換したい色として数値が指定された色だけを、変換後の色として数値が指定された色に変換するか、又は、ユーザに、予め用意されている複数パターンの画像の変換方法の中から、変換方法を選択させ、選択された変換方法に従って、画像を変換する色補正工程。
【００２７】
（６）画像から、予め背景色と決められている色を強制的に削除するか、又は、ユーザに背景色を指定させ、画像から、背景色として指定された色と、この色に近似しかつ隣接している色とを削除するか、或は、ユーザに背景色を指定させ、画像から、背景色として指定された色と、この色に近似している色とを削除する背景切抜き工程。
【００２８】
（７）予め決められているルールに従って、画像に、この画像に写っている商品の識別に必要な情報を付加する識別情報付加工程。
【００２９】
また請求項４の発明では、請求項３に記載の画像処理プログラムを記録した記録媒体としたものである。
【発明の効果】
【００３０】
本発明は、誰でも、容易に、実際に使用可能な品質の画像を得られるという効果がある。
【発明を実施するための最良の形態】
【００３１】
以下に、本発明の最良の一実施形態を説明する。
【００３２】
本実施形態では、撮影された画像に対し、図１のフローチャートに示すように、順に、レンジチェック（ＳＴＥＰ１）、レンジ補正（ＳＴＥＰ２）、白黒補正（ＳＴＥＰ３）、階調補正（ＳＴＥＰ４）、背景切抜き（ＳＴＥＰ５）、識別情報付加（ＳＴＥＰ７）という各処理を、プログラムに従ってコンピュータが全自動的或は半自動的に実行する。但し、ＳＴＥＰ１〜７の各処理は、それぞれ独立した内容であり、必ずしも全てが必須の処理ではないので、必要に応じて取捨選択される。例えば、背景切抜き（ＳＴＥＰ５）や、識別情報付加（ＳＴＥＰ７）は、業務の内容によっては、不要な場合もある。
【００３３】
ＳＴＥＰ１〜７の各処理の内、ＳＴＥＰ１のレンジチェックのみが画像の撮影時に行われ、他のＳＴＥＰ２〜７の処理は、画像の撮影後の製版工程でなされる。ここで、レンジとは、画像の階調の幅である。
【００３４】
以下に、各処理の内容を、処理順に説明する。
【００３５】
ＳＴＥＰ１；レンジチェック
レンジチェックは、コンピュータが、画像をチェックして、ハイライトの階調が潰れている場合には、ユーザに対して、ハイライトの階調が潰れているという警告を発し、また、シャドウの階調が潰れている場合には、ユーザに対して、シャドウの階調が潰れているという警告を発するものである。図２のグラフに、ハイライトの階調の潰れの例とシャドウの階調の潰れの例とを示す。
【００３６】
尚、警告が発せられた場合、撮影者は、デジタルカメラやライトの設定を見直して画像を撮り直す。
【００３７】
ＳＴＥＰ２；レンジ補正
レンジ補正は、画像の階調の幅を補正するもので、以下の２つの方法がある。
【００３８】
第１のレンジ補正は、コンピュータが、図３に示すように、ハイライトの明るさを強制的に最大値にし、シャドウの明るさを強制的に最小値にするものである。
【００３９】
第２のレンジ補正は、コンピュータが、図４に示すように、ユーザに、ハイライトにしたい色と、シャドウにしたい色とを指定させ、これらの指定に基づいて、画像の明るさを変えるものである。
【００４０】
ユーザに色を指定させる方法としては、色の数値を直接入力させるものと、画像の場所を指定させるものとがある。例えば、図５に示すように、色の数値としてＲＧＢ値を入力させることで色を指定させても良いし、又は、図６に示すような、色の数値としてＣＭＹＫ値を入力させることで色を指定させても良いし、或は、図７に示すように、任意の画像の任意の場所をマウス等のポインティングデバイスで指定させることで、この指定された場所の色の数値を入力させても良い。
【００４１】
ＳＴＥＰ３；白黒補正
白黒補正は、画像の白色と黒色とを補正するもので、以下の２つの方法がある。
【００４２】
第１の白黒補正は、コンピュータが、一番明るい色を強制的に白に変換し、一番暗い色を強制的に黒に変換するものである。第１の白黒補正では、色の数値として、ＲＧＢ値を用いる場合、白を、ＲＧＢ＝２５５とし、黒を、ＲＧＢ＝０とし、他方、色の数値として、ＣＭＹＫ値を用いる場合、白を、ＣＭＹＫ＝０とし、黒を、Ｋ＝１００とする。
【００４３】
第２の白黒補正は、コンピュータが、ユーザに、白にしたい色と、黒にしたい色とを指定させ、白にしたいとして指定された色を白に変換し、黒にしたいとして指定された色を黒に変換するものである。第２の白黒補正では、色の数値として、ＲＧＢ値を用いる場合、白を、ＲＧＢ＝２５５とし、黒を、ＲＧＢ＝０とし、他方、色の数値として、ＣＭＹＫ値を用いる場合、白を、ＣＭＹＫ＝０とし、黒を、Ｋ＝１００としても良い。或は、白黒の数値も、ユーザに指定させ、白にしたいとして指定された色を、白として指定された数値の色に変換し、黒にしたいとして指定された色を、黒として指定された数値の色に変換しても良い。
【００４４】
ユーザに色を指定させる方法は、レンジ補正の場合と同様に、色の値を直接入力させるものと、画像の場所を指定させるものとがある。例えば、図５に示すように、色の数値としてＲＧＢ値を入力させることで色を指定させても良いし、又は、図６に示すような、色の数値としてＣＭＹＫ値を入力させることで色を指定させても良いし、或は、図７に示すように、任意の画像の任意の場所をマウス等のポインティングデバイスで指定させることで、この指定された場所の色の数値を入力させても良い。
【００４５】
ＳＴＥＰ４；階調補正
階調補正は、コンピュータが、予め用意されているトーンカーブで、画像の階調補正を行うものである。
【００４６】
図８〜１１に、トーンカーブの例を示す。図８のトーンカーブは、画像全体を明るくする階調補正を行うものである。図９のトーンカーブは、画像全体を暗くする階調補正を行うものである。図１０のトーンカーブは、ハイライトを重視する階調補正を行うものである。図１１のトーンカーブは、シャドウを重視する階調補正を行うものである。
【００４７】
ＳＴＥＰ５；色補正
色補正には、以下の２つの方法がある。
【００４８】
第１の色補正は、コンピュータが、ユーザに、変換したい色と変換後の色とを数値で指定させ、変換したい色として数値が指定された色だけを、変換後の色として数値が指定された色に変換するものである。
【００４９】
例えば、変換したい色として赤色の数値ＲＧＢ＝（６０，２５５，２５５）が指定され、変換後の色として緑色の数値ＲＧＢ＝（２５５，６０，２５５）が指定されると、ＲＧＢ＝（６０，２５５，２５５）の赤色だけが、ＲＧＢ＝（２５５，６０，２５５）の緑色に変換される。
【００５０】
変換したい色の数値の指定、或は、変換後の色の数値の指定は、例えば、コンピュータが、図１２に示すような様々な色見本が並んだカラーパレットを表示して、このカラーパレットに中の色見本を、ユーザに指定させることで行っても良い。
【００５１】
第２の色補正は、コンピュータが、ユーザに、予め用意されている複数パターンの画像の変換方法の中から、変換方法を選択させ、選択された変換方法に従って、画像を変換するものである。
【００５２】
予め用意されている複数パターンの画像の変換方法には、例えば、画像全体を赤くするもの、画像全体を青くするもの、画像全体の彩度を高めるものなどがある。
【００５３】
ＳＴＥＰ６；背景切抜き
背景切抜きには、以下の３つの方法がある。
【００５４】
第１の背景切抜きは、コンピュータが、画像から、予め背景色と決められている色を強制的に削除するものである。
【００５５】
図１３の（Ａ）は、予め背景色と決められている色をバックにして鍵を撮影した画像を示し、図１３の（Ｂ）は、図１３の（Ａ）に示す画像から、予め背景色と決められている色を強制的に削除したものである。
【００５６】
第２の背景切抜きは、コンピュータが、ユーザに背景色を指定させ、画像から、背景色として指定された色と、この色に近似しかつ隣接している色とを削除するものである。
【００５７】
図１４の（Ａ）は、鍵が写っている画像であって、領域１の色と領域２の色とが異なるが近似しているものを示し、図１４の（Ｂ）は、図１４の（Ａ）に示す画像において、ユーザが背景色として領域２の色を指定したときに、図１４の（Ａ）に示す画像から、背景色として指定された領域２の色に近似しかつ隣接している色を削除したものである。図１
４の（Ａ）に示す画像において、領域１の色は、領域１の色に近似しているが、隣接していないので、図１４の（Ｂ）の画像おいて、領域１の色が削除されずに残っている。
【００５８】
第３の背景切抜きは、コンピュータが、ユーザに背景色を指定させ、画像から、背景色として指定された色と、この色に近似している色とを削除するものである。
【００５９】
図１５の（Ａ）は、鍵が写っている画像であって、領域１の色と領域２の色とが異なるが近似しているものを示し、図１５の（Ｂ）は、図１４の（Ａ）に示す画像において、ユーザが背景色として領域２の色を指定したときに、図１４の（Ａ）に示す画像から、背景色として指定された領域２の色に近似している色を削除したものである。図１４の（Ａ）に示す画像において、領域１の色は、領域２の色に隣接していないが、領域２の色に近似しているので、図１４の（Ｂ）の画像おいて、領域２の色だけでなく、領域１の色も削除されている。
【００６０】
ＳＴＥＰ７；識別情報付加
識別情報は、コンピュータが、予め決められているルールに従って、画像に、この画像に写っている商品の識別に必要な情報を付加するものである。
【００６１】
ルールは、例えば、図１８に示すように、画像の左下に、品番と品名とを付加するというものであっても良いし、或は、画像の右下に、この画像のファイル名を付加するというものであっても良い。
【図面の簡単な説明】
【００６２】
【図１】実際に使用可能な品質の画像を得るための処理の流れを説明するフローチャート。
【図２】ハイライトの階調の潰れの例とシャドウの階調の潰れの例とを説明するグラフ。
【図３】自動的なレンジ補正を説明するグラフ。
【図４】ユーザの指示に従ったレンジ補正を説明するグラフ。
【図５】ＲＧＢ値を入力することで色を指定するユーザインターフェースの例を示す図。
【図６】ＣＭＹＫ値を入力することで色を指定するユーザインターフェースの例を示す図。
【図７】画像の場所を指定させることで色を指定するユーザインターフェースの例を示す図。
【図８】画像全体を明るくする階調補正を行うトーンカーブの例を示すグラフ。
【図９】画像全体を暗くする階調補正を行うトーンカーブの例を示すグラフ。
【図１０】ハイライトを重視する階調補正を行うトーンカーブの例を示すグラフ。
【図１１】シャドウを重視する階調補正を行うトーンカーブの例を示すグラフ。
【図１２】カラーパレットの例を示す図。
【図１３】予め背景色と決められている色を強制的に削除する背景切抜きを説明する図。
【図１４】ユーザが背景色として指定した色に近似しかつ隣接している色を削除する背景切抜きを説明する図。
【図１５】ユーザが背景色として指定した色に近似している色を削除する背景切抜きを説明する図。
【図１６】識別情報として品番と品名とが左下に付加された画像の例を示す図。
【符号の説明】
【００６３】
１…領域
２…領域
【図１】
2006157356.tif 000003
【図２】
2006157356.tif 000004
【図３】
2006157356.tif 000005
【図４】
2006157356.tif 000006
【図５】
2006157356.tif 000007
【図６】
2006157356.tif 000008
【図７】
2006157356.tif 000009
【図８】
2006157356.tif 000010
【図９】
2006157356.tif 000011
【図１０】
2006157356.tif 000012
【図１１】
2006157356.tif 000013
【図１２】
2006157356.tif 000014
【図１３】
2006157356.tif 000015
【図１４】
2006157356.tif 000016
【図１５】
2006157356.tif 000017
【図１６】
2006157356.tif 000018